(57)【特許請求の範囲】
【請求項１】
閉じられた収納空間に抗菌成分を放出する抗菌装置を備える収納庫であって、
前記抗菌成分は、イソチオシアン酸エステルであり、
前記収納庫は、
前記抗菌成分を含む抗菌剤を収納するカートリッジ式容器を収納し、前記抗菌成分を溜め込むための蓄積用空間を有する第二の抗菌装置を、さらに有し、
前記第二の抗菌装置は、前記収納庫の扉が閉じられる過程、及び／又は、閉じられた後の所定時間において、溜め込まれた前記抗菌成分を放出し得る構成とする、収納庫。
【請求項２】
前記第二の抗菌装置は、前記収納庫の前記扉が閉じられる際において発生する空気抵抗を受けて開かれる開閉蓋を有し、
前記開閉蓋が開かれた際に、前記蓄積用空間に溜め込まれていた高濃度の抗菌成分が放出され得る構成とする、
ことを特徴とする請求項１に記載の収納庫。
【請求項３】
前記第二の抗菌装置は、扉、又は、収納空間内に設けられ、
前記第二の抗菌装置は、前記扉が閉じられる際に、前記収納空間内、又は、前記扉に設けられる接触部に接触して開かれる開閉蓋を有し、前記開閉蓋が開くことによって、溜め込まれた前記抗菌成分を放出し得る構成とする、
ことを特徴とする請求項１に記載の収納庫。
【請求項４】
前記収納庫の扉は、収納物を収納する内側容器と、
前記内側容器に収納される収納物の重量に応じて前記抗菌成分を放出する第三の抗菌装置と、
をさらに備える、
ことを特徴とする、請求項１乃至請求項３のいずれか一項に記載の収納庫。
【請求項５】
収納庫の閉じられた収納空間に抗菌成分を放出する抗菌装置であって、
前記抗菌成分は、イソチオシアン酸エステルであり、
前記抗菌装置は、前記抗菌成分を溜め込むための蓄積用空間を有し、
前記収納庫の扉が閉じられる過程、及び／又は、閉じられた後の所定時間において、溜め込まれた前記抗菌成分を放出し得る構成とする、抗菌装置。
【請求項６】
前記抗菌装置は、前記収納庫の前記扉が閉じられる際において発生する空気抵抗を受けて開かれる開閉蓋を有し、
前記開閉蓋が開かれた際に、前記蓄積用空間に溜め込まれていた高濃度の抗菌成分が放出され得る構成とする、
ことを特徴とする請求項５に記載の抗菌装置。
【請求項７】
前記抗菌装置は、前記収納庫の扉、又は、収納空間内に設けられ、
前記抗菌装置は、前記扉が閉じられる際に、前記収納空間内、又は、前記扉に設けられる接触部に接触して開かれる開閉蓋を有し、
前記開閉蓋が開くことによって、溜め込まれた前記抗菌成分を放出し得る構成とする、
ことを特徴とする請求項５に記載の抗菌装置。
【発明の詳細な説明】
【技術分野】
【０００１】
本発明は、キッチン収納庫、ランドリー用収納庫、ゴミ収納庫などの各種収納庫の内部のカビ防止対策に関するものである。
【背景技術】
【０００２】
キッチンシンクなどを備えるキッチン設備において、キッチンシンクなどの下側の空間は、食器類、鍋類、キッチン小物類を収納する収納庫（キッチン収納庫）として利用される形態が一般に知られている。
【０００３】
また、着用済の衣類を一時的に内部に収納する空間を有し、着用済の衣類からの臭いを外部に漏らさないように構成される収納庫（ランドリー用収納庫）も知られている。
【０００４】
また、ポリエチレンなどのゴミ袋を内部に収納する空間を有し、生ゴミや紙おむつなどの臭いが外部に漂わないようにするための収納庫（ゴミ収納庫）も知られている。
【０００５】
他方、野菜などの生鮮食料品を保管する食料保管庫について、食料から発生するエチレンガスをエチレン分解触媒にて分解させるとともに、分解しきれない残余エチレンガスを庫外に排出する技術についても知られている。
【先行技術文献】
【特許文献】
【０００６】
【特許文献１】特開２００９−５０３８４号公報
【発明の概要】
【発明が解決しようとする課題】
【０００７】
上述した各種の収納庫においては、使用される際にのみ扉などが開かれることから、扉が閉められたままとなる時間が長くなり、収納庫内に湿気がこもり易い。このため、収納庫には、カビ（カビ菌）が発生しやすい状況となっているものと考えられ、このためのカビ防止対策を講じる必要がある。
【０００８】
他方、特許文献１に開示される技術では、食料から発生するエチレンガスを対象としており、上述した各種の収納庫に収納される物品の対象が異なるものであることから、仮に上述した各種の収納庫に適用した場合におけるカビ防止対策を目的として使用した場合に、その目的が十分に達成され得るか否かについては検討が必要である。
【０００９】
また、特許文献１で開示される技術では、残余エチレンガスを庫外に排出する構成とするものであるが、仮に、上述した各種の収納庫へ適用した場合には、カビ臭、着用済衣類の臭い、ゴミの臭いなどが放出されることとなることから、適用は困難なものとなる。
【００１０】
そこで、本発明は、以上の問題に鑑み、閉じられた収納空間内での抗菌成分の放出により抗菌効果を得る構成の収納庫において、収納庫への適用に適した抗菌成分を採用した収納庫の構成を提案するものである。
【００１１】
また、カビ防止対策を図る場合には、その効果が持続できるようメンテナンス性を考慮する必要がある。
【００１２】
そこで、本発明の他の課題として、庫内での抗菌成分の放出により抗菌効果を得る構成の収納庫において、収納庫への適用に適した抗菌成分を採用するとともに、メンテナンス性に優れた構成を提案する。
【００１３】
また、抗菌成分を庫内に放出する形態においては、扉の開閉の度に抗菌成分が庫外に逃げてしまい、扉を閉めた直後では、抗菌成分の庫内濃度が低くなってしまうことが懸念される。このため、単純に収納庫に抗菌成分を放出させるだけの形態では、十分な抗菌効果を得られる濃度に戻るまでに長時間を要してしまい、カビの発生が抑制され難くなることが懸念される。また、扉が頻繁に開け閉めされる場合では、十分な抗菌効果を得られる濃度が達成されないことも懸念される。
【００１４】
また、特許文献１で開示される技術では、庫内の残余エチレンガスを庫外に排出する形態となっているため、上述したような抗菌成分を庫内に放出させることでカビ防止対策を図ることを目的とする形態については、適用が難しいものである。
【００１５】
そこで、本発明の他の課題として、庫内での抗菌成分の放出により抗菌効果を得る構成の収納庫において、扉を閉めた後において抗菌成分の庫内濃度を高く設定する構成を備える、新規な技術について提案する。
【課題を解決するための手段】
【００１６】
本発明の解決しようとする課題は以上の如くであり、次にこの課題を解決するための手段を説明する。
【００１７】
即ち、請求項１に記載のごとく、閉じられた収納空間に抗菌成分を放出する抗菌装置を備える収納庫であって、前記抗菌成分は、イソチオシアン酸エステルであり、前記収納庫は、前記抗菌成分を含む抗菌剤を収納するカートリッジ式容器を収納し、前記抗菌成分を溜め込むための蓄積用空間を有する第二の抗菌装置を、さらに有し、前記第二の抗菌装置は、前記収納庫の扉が閉じられる過程、及び／又は、閉じられた後の所定時間において、溜め込まれた前記抗菌成分を放出し得る構成とする、収納庫とするものである。
【００２０】
また、請求項２に記載のごとく、前記第二の抗菌装置は、前記収納庫の前記扉が閉じられる際において発生する空気抵抗を受けて開かれる開閉蓋を有し、前記開閉蓋が開かれた際に、前記蓄積用空間に溜め込まれていた高濃度の抗菌成分が放出され得る構成とするものである。
【００２１】
また、請求項３に記載のごとく、前記第二の抗菌装置は、扉、又は、収納空間内に設けられ、前記第二の抗菌装置は、前記扉が閉じられる際に、前記収納空間内、又は、前記扉に設けられる接触部に接触して開かれる開閉蓋を有し、前記開閉蓋が開くことによって、溜め込まれた前記抗菌成分を放出し得る構成とするものである。
【００２２】
また、請求項４に記載のごとく、前記収納庫の扉は、収納物を収納する内側容器と、前記内側容器に収納される収納物の重量に応じて前記抗菌成分を放出する第三の抗菌装置と、をさらに備える構成とするものである。
【００２３】
また、請求項５に記載のごとく、収納庫の閉じられた収納空間に抗菌成分を放出する抗菌装置であって、前記抗菌成分は、イソチオシアン酸エステルであり、前記抗菌装置は、前記抗菌成分を溜め込むための蓄積用空間を有し、前記収納庫の扉が閉じられる過程、及び／又は、閉じられた後の所定時間において、溜め込まれた前記抗菌成分を放出し得る構成とする、抗菌装置とするものである。
【００２６】
また、請求項６に記載のごとく、前記抗菌装置は、前記収納庫の前記扉が閉じられる際において発生する空気抵抗を受けて開かれる開閉蓋を有し、前記開閉蓋が開かれた際に、前記蓄積用空間に溜め込まれていた高濃度の抗菌成分が放出され得る構成とするものである。
【００２７】
また、請求項７に記載のごとく、前記抗菌装置は、前記収納庫の扉、又は、収納空間内に設けられ、前記抗菌装置は、前記扉が閉じられる際に、前記収納空間内、又は、前記扉に設けられる接触部に接触して開かれる開閉蓋を有し、前記開閉蓋が開くことによって、溜め込まれた前記抗菌成分を放出し得る構成とするものである。
【発明の効果】
【００２８】
本発明の効果として、以下に示すような効果を奏する。
【００２９】
即ち、請求項１に記載の発明においては、閉じられた空間となる収納空間について、イソチオシアン酸エステルを抗菌成分として放出することで、収納庫内のカビ防止対策を実施することが可能となる。また、扉が閉じられた後において、十分な抗菌効果を得られる庫内濃度に戻るまでの時間を短縮することが可能となり、カビの発生をより確実に防止することが可能となる。また、扉が開かれる際、もしくは、開いて静止している際には、抗菌成分の無駄な放出がなされないことから、カートリッジ式容器の交換回数も少なくなり、エコロジーな実施形態が可能となる。
【００３２】
また、請求項２に記載の発明においては、開閉蓋を開閉するための電気的な仕組みが不要であり、簡易な装置構成を実現することが可能となって、エコロジーな実施形態が可能となる。
【００３３】
また、請求項３に記載の発明においては、開閉蓋を開閉するための電気的な仕組みが不要であり、簡易な装置構成を実現することが可能となって、エコロジーな実施形態が可能となる。
【００３４】
また、請求項４に記載の発明においては、衣類やゴミなどの量が多くなって、より強力な防臭対策が必要とされる場合にのみ、第三の抗菌装置を機能させることが可能となり、防臭対策の必要性に応じて、第三の抗菌装置による効果的な防臭対策を実施することが可能となる。また、衣類やゴミなどの量が多い場合には、湿気も多くなるため、カビ防止対策としても、効果的に実施することが可能となる。
【００３５】
また、請求項５に記載の発明においては、閉じられた空間となる収納空間について、イソチオシアン酸エステルを抗菌成分として放出することで、収納庫内のカビ防止対策を実施することが可能となる。また、扉が閉じられた後において、十分な抗菌効果を得られる庫内濃度に戻るまでの時間を短縮することが可能となり、カビの発生をより確実に防止することが可能となる。また、扉が開かれる際、もしくは、開いて静止している際には、抗菌成分の無駄な放出がなされないことから、カートリッジ式容器の交換回数も少なくなり、エコロジーな実施形態が可能となる。
【００３８】
また、請求項６に記載の発明においては、
開閉蓋を開閉するための電気的な仕組みが不要であり、簡易な装置構成を実現することが可能となって、エコロジーな実施形態が可能となる。
【００３９】
また、請求項７に記載の発明においては、
開閉蓋を開閉するための電気的な仕組みが不要であり、簡易な装置構成を実現することが可能となって、エコロジーな実施形態が可能となる。
【図面の簡単な説明】
【００４０】
【図１】実施例１の収納庫の構成について示す側面視断面図。
【図２】実施例１の収納庫の構成について示す平面視概略図。
【図３】（ａ）は、実施例１の抗菌装置の構成について示す図。（ｂ）は、実施例１の第二の抗菌装置の構成について示す図。（ｃ）は、実施例１の第二の抗菌装置において抗菌成分が放出される状況について示す図。（ｄ）は、実施例１の第二の抗菌装置の他の構成例について説明する図。
【図４】（ａ）は、実施例２の第二の抗菌装置の構成について示す図。（ｂ）は、実施例２の第二の抗菌装置において抗菌成分が放出される状況について示す図。
【図５】（ａ）は、実施例３の第二の抗菌装置の構成を採用する収納庫の構成について示す側面視概略図。（ｂ）は、実施例３の第二の抗菌装置の構成を採用する収納庫の構成について扉が開かれる際の状況について示す側面視概略図。（ｃ）は、実施例３の第二の抗菌装置の構成を採用する収納庫において抗菌成分が放出される状況について示す側面視概略図。（ｄ）は、実施例３の第二の抗菌装置の構成を採用する収納庫において開閉蓋が閉じられる状況について示す側面視概略図。
【図６】（ａ）は、実施例４の第二の抗菌装置の構成を採用する収納庫の構成について示す側面視概略図。（ｂ）は、実施例４の第二の抗菌装置の構成を採用する収納庫の構成について扉が開かれる際の状況について示す側面視概略図。（ｃ）は、実施例４の第二の抗菌装置の構成を採用する収納庫において抗菌成分が放出される状況について示す側面視概略図。（ｄ）は、実施例４の第二の抗菌装置の構成を採用する収納庫において開閉蓋が閉じられる状況について示す側面視概略図。
【図７】（ａ）は、実施例５の第二の抗菌装置の構成を採用する収納庫の構成について示す正面視概略図。（ｂ）は、実施例５の第二の抗菌装置の構成を採用する収納庫の構成において引戸が開かれる際の状況ついて示す平面視概略図。（ｃ）は、実施例５の第二の抗菌装置の構成を採用する収納庫の構成について示す平面視概略図。（ｄ）は、実施例５の第二の抗菌装置の構成を採用する収納庫において抗菌成分が放出される状況について示す平面視概略図。
【図８】（ａ）は、実施例６の第二の抗菌装置の構成を採用する収納庫の構成について示す側面視概略図。（ｂ）は、実施例６においてランドリー用収納庫として利用する形態について示す側面視概略図。（ｃ）は、実施例６においてゴミ収納庫として利用する形態について示す側面視概略図。
【発明を実施するための形態】
【００４１】
本発明は、キッチンシンクを備えるキッチン設備などのキッチン収納庫、着用済の衣類を一時的に収納するランドリー用収納庫、生ゴミや紙おむつなどのゴミを一時的に収納するゴミ収納庫など、各種の収納庫について適用され得るものである。なお、これらの例示からも判るように、適用されることが想定される収納庫は、「内部空間の臭いが外部に漏れないことが好ましいもの」である。
【００４２】
図１は、実施形態の一つであって、キッチン設備１のキッチンシンク２の下側に形成される空間を収納空間３として利用する収納庫４について示すものである。この収納庫４は、スライド移動するキャビネット５を備えており、キャビネット５が閉じられた際には、キャビネット５の前面板５ａによって収納空間３が閉じられた空間となり、収納庫４内の臭いが庫外（収納空間３の外）に漏れないように構成されている。
【００４３】
また、図１に示すごとく、収納庫４内において、抗菌装置１０による抗菌成分Ｋの放出を行うことで、収納空間３内のカビの発生防止がなされる。図１の形態では、キャビネット５側に抗菌装置１０が設けられ、この抗菌装置１０は、図３（ａ）に示すごとく、抗菌成分Ｋを含む抗菌剤Ｚを収納するカートリッジ式容器１１と、このカートリッジ式容器１１が交換可能にセットされるホルダー１２を有する構成としている。
【００４４】
また、図３に示すごとく、カートリッジ式容器１１に収納される抗菌剤Ｚは、有効成分として抗菌成分Ｋを含むものであり、この抗菌成分Ｋをイソチオシアン酸エステルとするものである。イソチオシアン酸エステルは、例えば、ＡＩＴ（アリルイソチオシアネート）として市販されるものが選択され得る。このＡＩＴは、カビ（青カビ、ススカビなど）の発生を防ぐ抗菌作用を発揮するものとして広く知られ、古くから食されているワサビやカラシなどに含まれる成分であって、食器類や鍋などの収納が予想される収納庫４についても、特段の問題が生じるものではない。
【００４５】
また、カートリッジ式容器１１の素材は、抗菌成分Ｋであるイソチオシアン酸エステルを透過させて放出するために、ポリエチレンやポリプロピレンなどにて構成することが考えられる。
【００４６】
以上の構成により、本発明を実施することが可能となる。
即ち、図１に示すごとく、
閉じられた収納空間３に抗菌成分Ｋを放出する抗菌装置１０を備える収納庫４であって、
前記抗菌成分Ｋは、イソチオシアン酸エステルである、
こととするものである。
【００４７】
以上の構成により、閉じられた空間となる収納空間３について、イソチオシアン酸エステルを抗菌成分Ｋとして放出することで、収納庫４内のカビ防止対策を実施することが可能となる。
以下では、実施例を用いて具体的な構成例について説明する。
【実施例１】
【００４８】
図１に示すごとく、収納庫４には、上段のキャビネット５と下段のキャビネット６をスライド可能に設けられており、本実施例では、図２に示すごとく、上段のキャビネット５の奥側に配置される後面板５ｂに、抗菌装置１０と、抗菌装置２０（以下、「第二の抗菌装置２０」とする）の二つの抗菌装置が設けられる構成としている。
【００４９】
図１に示されるキッチンシンク２の下方の収納空間３は、キャビネット５・６が開かれない限りは、閉じられた空間となるため、湿気がこもり易く、この湿気によるカビの発生を抗菌装置１０、第二の抗菌装置２０により防止することとしている。
【００５０】
また、図２に示すごとく、抗菌装置１０は、キャビネット５の開閉状況に関わらず常時低濃度の抗菌成分Ｋを放出するものである。これに対し、第二の抗菌装置２０は、キャビネット５の開閉状況に応じて高濃度の抗菌成分Ｋを放出するものである。なお、ここでいう「低濃度」「高濃度」とは、抗菌装置１０から放出される抗菌成分Ｋの濃度と、第二の抗菌装置２０から放出される抗菌成分Ｋの濃度を比較する上での表現である。また、抗菌装置１０が「低濃度抗菌成分放出手段」、第二の抗菌装置２０が「高濃度抗菌成分放出手段」として機能し得るものである。
【００５１】
図３（ａ）に示すごとく、抗菌装置１０は、抗菌成分Ｋを含む抗菌剤Ｚを収納するカートリッジ式容器１１と、このカートリッジ式容器１１が交換可能にセットされるホルダー１２を有する構成としている。カートリッジ式容器１１は、蓋のない密閉状容器の形態や、蓋を設けて抗菌剤Ｚの補充を可能とする容器などが考えられる。なお、カートリッジ式容器１１の素材は、抗菌成分Ｋであるイソチオシアン酸エステルを透過させて放出するために、ポリエチレンやポリプロピレンなどにて構成することが考えられる。
【００５２】
また、図３（ａ）に示すごとく、ホルダー１２は、カートリッジ式容器１１を収納する収納空間１２ａを形成する箱状容器にて構成され、その背面側にホルダー１２をキャビネットの後面板５ｂ（図２）に引っ掛けるためのフック１２ｃが設けられる。また、例えば、ホルダー１２の側部に図示せぬ開閉蓋を設けることで、この開閉蓋の開閉によって、カートリッジ式容器１１の取り出し、挿入を可能とする構成を採用できる。この構成によって、抗菌成分Ｋが減少した場合には、カートリッジ式容器１１を交換することで、容易にメンテナンスを行うことが可能となる。
【００５３】
また、図３（ａ）に示すごとく、ホルダー１２において、前面壁１２ｇには、放出側開口部１２ｈが設けられ、この放出側開口部１２ｈから抗菌成分Ｋが放出されるようになっている。放出側開口部１２ｈは常時開かれているため、略一定の量の抗菌成分Ｋが放出され得るようになっている。
【００５４】
一方、図２に示す第二の抗菌装置２０は、図３（ｂ）（ｃ）に示すごとく、ホルダー２２は、カートリッジ式容器２１を収納する蓄積用空間２２ａを形成する箱状容器にて構成され、その背面側にはホルダー２２をキャビネットの後面板５ｂ（図２）に引っ掛けるためのフック２２ｃが設けられる。また、例えば、ホルダー２２の側部に図示せぬ開閉蓋を設けることで、この開閉蓋の開閉によって、カートリッジ式容器２１の取り出し、挿入を可能とする構成を採用できる。
【００５５】
また、図３（ｂ）（ｃ）に示すごとく、ホルダー２２において、背面壁２２ｄの上部には、導入側開口部２２ｅと、この導入側開口部２２ｅを開閉するための開閉蓋２２ｆが設けられている。この開閉蓋２２ｆは、その自重によって上下方向に垂れた状態で回動可能に設けられるとともに、キャビネット５が閉じられる際に、矢印Ｆの方向の空気抵抗を受けることによって、跳ね上るように回動するように構成されている。また、開閉蓋２２ｆの下端は、背面壁２２ｄの内面に当接するように構成されており、キャビネットが静止している状態、及び、キャビネットが開き側にスライド移動する場合には、導入側開口部２２ｅが塞がれるようになっている。
【００５６】
また、図３（ｂ）（ｃ）に示すごとく、ホルダー２２において、前面壁２２ｇの下部には、放出側開口部２２ｈと、この放出側開口部２２ｈを開閉するための開閉蓋２２ｊが設けられている。この開閉蓋２２ｊは、その自重によって上下方向に垂れた状態で回動可能に設けられるとともに、キャビネット５が閉じ側にスライド移動する際に、導入側開口部２２ｅから蓄積用空間２２ａ内に空気が流入することによって高まった蓄積用空間２２ａ内の気圧を受けることによって、跳ね上るように回動するように構成されている。また、開閉蓋２２ｊの下端は、前面壁２２ｇの外面に当接するように構成されており、キャビネットが静止している状態、及び、キャビネットが開き側にスライド移動する場合には、放出側開口部２２ｈが塞がれるようになっている。
【００５７】
以上の構成により、図３（ｂ）（ｃ）に示すごとく、第二の抗菌装置２０については、キャビネット５が閉じられる際には、開閉蓋２２ｆ・２２ｊが開かれて、蓄積用空間２２ａに溜め込まれていた高濃度の抗菌成分Ｋが放出される。
【００５８】
一方で、図１に示すごとく、キャビネット５が静止している状態やキャビネット５が開き側にスライド移動する場合には、図３（ｂ）の状態となって、蓄積用空間２２ａ内の抗菌成分Ｋは庫外に放出されず、蓄積用空間２２ａの抗菌成分Ｋの濃度を高めることが可能となる。これにより、キャビネット５が閉じられる際において、第二の抗菌装置２０からは、高濃度の抗菌成分Ｋを放出することが可能となる。
【００５９】
また、図１に示すごとく、キャビネット５が開かれて停止した状態では、収納空間３が庫外に開放されて、収納空間３内の抗菌成分Ｋが庫外に漏れ続けてしまうことになるが、このような状況であっても、第二の抗菌装置２０からの抗菌成分Ｋの放出はなされないことから、第二の抗菌装置２０内の抗菌成分Ｋを無駄に放出することがなくなり、カートリッジ式容器２１の交換の長期化を図ることが可能となる。
【００６０】
なお、図３（ｄ）に示すごとく、第二の抗菌装置２０Ａのように、放出側開口部２２ｈと開閉蓋２２ｊに加え、放出側開口部２２ｋと開閉蓋２２ｍを設け、二箇所の放出側開口部２２ｈ・２２ｋから抗菌成分Ｋが放出される構成としてもよい。
【００６１】
以上のように、本実施例では、図１及び図２に示すごとく、キャビネット５が閉じられる際には、第二の抗菌装置２０のから高濃度の抗菌成分Ｋが放出されるため、キャビネット５が開かれることによって低下した収納空間３の庫内濃度を高く設定することが可能となる。また、キャビネット５が閉じられた後には、抗菌装置１０からの抗菌成分Ｋの放出が継続的に行われることになるが、第二の抗菌装置２０からの高濃度の抗菌成分Ｋの放出によって庫内濃度は高く設定されているため、早期にキャビネット５が開かれる前の抗菌成分Ｋの庫内濃度に戻すことが可能となる。このようにして、キャビネット５が閉じられた後において、十分な抗菌効果を得られる庫内濃度に戻るまでの時間を短縮することが可能となり、カビの発生をより確実に防止することが可能となる。また、キャビネット５が閉じられてスライド移動が停止した後において、開閉蓋２２ｊが所定時間開かれた状態となる構成としてもよい。例えば、開閉蓋２２ｊの回動軸に開閉蓋２２ｊを開き側に付勢する別のバネ機構を設けるなどにより、開閉蓋２２ｊが閉じるまでの時間を遅らせる形態などが考えられる。
【００６２】
以上が実施例１の構成であり、特徴的な構成として、図１乃至図３に示すごとく、
抗菌装置１０には、抗菌成分Ｋを含む抗菌剤Ｚを収納するカートリッジ式容器１１を交換可能に設けられる、こととするものである。
【００６３】
この構成により、抗菌成分Ｋが減少した場合には、カートリッジ式容器１１を交換することで、容易にメンテナンスを行うことが可能となる。
【００６４】
また、収納庫４は、
抗菌成分Ｋを含む抗菌剤Ｚを収納するカートリッジ式容器２１を収納し、抗菌成分Ｋを溜め込むための蓄積用空間２２ａを有する第二の抗菌装置２０を、さらに有し、
第二の抗菌装置２０は、収納庫４の扉（キャビネット５）が閉じられる過程、及び／又は、閉じられた後の所定時間において、溜め込まれた抗菌成分Ｋを放出し得る構成とするものである。
【００６５】
この構成により、扉（キャビネット５）が閉じられた後において、十分な抗菌効果を得られる庫内濃度に戻るまでの時間を短縮することが可能となり、カビの発生をより確実に防止することが可能となる。また、扉（キャビネット５）が開かれる際、もしくは、開いて静止している際には、抗菌成分Ｋの無駄な放出がなされないことから、カートリッジ式容器２１の交換回数も少なくなり、エコロジーな実施形態が可能となる。
【００６６】
また、第二の抗菌装置２０は、収納庫４の扉（キャビネット５）が閉じられる際において発生する空気抵抗を受けて開かれる開閉蓋２２ｆを有し、
開閉蓋２２ｆが開かれた際に、蓄積用空間２２ａに溜め込まれていた高濃度の抗菌成分Ｋが放出され得る構成とするものである。
【００６７】
この構成によれば、開閉蓋を開閉するための電気的な仕組みが不要であり、簡易な装置構成を実現することが可能となって、エコロジーな実施形態が可能となる。
【実施例２】
【００６８】
本実施例２では、図４（ａ）（ｂ）に示すごとく、抗菌装置３０の他の形態に関するものであり、実施例１で説明した図２に示す抗菌装置１０と第二の抗菌装置２０の二つの機能を兼ね備えるものである。つまり、抗菌装置１０の「低濃度抗菌成分放出手段」としての機能、第二の抗菌装置２０の「高濃度抗菌成分放出手段」としての機能、の二つの機能を兼ね備えるものである。
【００６９】
より具体的には、図４（ａ）（ｂ）に示すごとく、抗菌装置３０は、抗菌成分Ｋを含む抗菌剤Ｚを収納するカートリッジ式容器３１と、このカートリッジ式容器３１が交換可能にセットされるホルダー３２を有する構成としている。ホルダー３２は、上下二室に区画される箱状容器にて構成され、その背面側にはホルダー３２をキャビネットの後面板５ｂ（図２）に引っ掛けるためのフック３２ｂが設けられる。
【００７０】
また、図４（ａ）（ｂ）に示すごとく、ホルダー３２の上側の空間は、カートリッジ式容器３１を収納するための収納空間３２ｃとして構成されている。また、例えば、収納空間３２ｃの側部に図示せぬ開閉蓋が設けることで、この開閉蓋の開閉によって、カートリッジ式容器３１の取り出し、挿入を可能とする構成を採用できる。また、ホルダー３２の収納空間３２ｃにおいて、前面や背面などには、放出用孔３２ｄ・３２ｄが設けられており、この放出用孔３２ｄ・３２ｄを介して収納空間３２ｃ内の抗菌成分Ｋが常時庫内へと放出されるようになっている。
【００７１】
また、図４（ａ）（ｂ）に示すごとく、ホルダー３２の収納空間３２ｃの下方には、通気孔３２ｅを有する横板３２ｆを介して蓄積用空間３２ｇが形成されており、この蓄積用空間３２ｇ内に通気孔３２ｅを介して抗菌成分Ｋが流入することで、蓄積用空間３２ｇ内に抗菌成分Ｋが蓄積し、蓄積用空間３２ｇ内の抗菌成分Ｋの濃度が高められ得るようになっている。なお、蓄積用空間３２ｇへの抗菌成分Ｋの流入は、抗菌成分Ｋの比重の大きさによって自動的に行われ得るようになっている。
【００７２】
また、図４（ａ）（ｂ）に示すごとく、ホルダー３２において、蓄積用空間３２ｇを形成する背面壁３２ｈには、導入側開口部３２ｊと、この導入側開口部３２ｊを開閉するための開閉蓋３２ｋが設けられている。この開閉蓋３２ｋは、その自重によって上下方向に垂れた状態で回動可能に設けられるとともに、キャビネットが閉じられる際に、矢印Ｆの方向の空気抵抗を受けることによって、跳ね上るように回動するように構成されている。また、開閉蓋３２ｋの下端は、背面壁３２ｈの内面に当接するように構成されており、キャビネットが静止している状態、及び、キャビネットが開き側にスライド移動する場合には、導入側開口部３２ｊが塞がれるようになっている。
【００７３】
また、図４（ａ）（ｂ）に示すごとく、ホルダー３２において、蓄積用空間３２ｇを形成する前面壁３２ｍには、放出側開口部３２ｎと、この放出側開口部３２ｎを開閉するための開閉蓋３２ｐが設けられている。この開閉蓋３２ｐは、その自重によって上下方向に垂れた状態で回動可能に設けられるとともに、キャビネットが閉じ側にスライド移動する際に、導入側開口部３２ｊから蓄積用空間３２ｇ内に空気が流入することによって高まった蓄積用空間３２ｇ内の気圧を受けることによって、跳ね上るように回動するように構成されている。また、開閉蓋３２ｐの下端は、前面壁３２ｍの外面に当接するように構成されており、キャビネットが静止している状態、及び、キャビネットが開き側にスライド移動する場合には、放出側開口部３２ｎが塞がれるようになっている。
【００７４】
以上のようにして、図４（ａ）（ｂ）に示す構成によって、一つの抗菌装置３０によって、図２に示す実施例１の抗菌装置１０の「低濃度抗菌成分放出手段」としての機能、第二の抗菌装置２０の「高濃度抗菌成分放出手段」としての機能、の二つの機能を兼ね備えることが可能となる。
【実施例３】
【００７５】
本実施例３では、図５（ａ）〜（ｄ）に示すごとく、実施例１で例示した「高濃度抗菌成分放出手段」としての機能を果たすための、第二の抗菌装置４０をキャビネット５Ａの下面５ｃに設置する構成とするものである。この第二の抗菌装置４０は、カートリッジ式容器４１を収納するホルダー４２を有し、このホルダー４２がキャビネット５Ａの下面５ｃに設置され、キャビネット５Ａが閉じられる際に、ホルダー４２に付設される開閉蓋４３が開かれて、抗菌成分Ｋを放出する構成とするものである。
【００７６】
図５（ａ）（ｂ）に示すごとく、開閉蓋４３はホルダー４２に対して回動可能に設けられ、図示せぬバネ機構などにより常時閉じる方向に付勢されている。また、開閉蓋４３には、略垂直に垂れ下げられた状態から一側方向（図５（ｂ）において時計回り方向Ｒ）にのみ回動を可能とする回動片４４が回動可能に垂設されている。この回動片４４は、キャビネット５Ａがスライド移動する際に、収納庫４Ａ側に固定された接触部４５に接触し得るようになっている。
【００７７】
そして、図５（ｂ）に示すごとく、キャビネット５Ａが開かれる方向にスライド移動する際には、回動片４４は接触部４５に接触し、開閉蓋４３との間で形成する角度が狭くなるように跳ね上げられる。この際、開閉蓋４３は閉じられたままとなり、抗菌成分の無駄な放出が抑えられる。一方、図５（ｃ）に示すごとく、キャビネット５Ａが閉じられる方向にスライド移動する際には、回動片４４が接触部４５に接触することで、回動片４４が跳ね上げられると、これに伴って開閉蓋４３が一体となって回動し、開閉蓋４３が開かれた状態となって、ホルダー４２内に充満していた高濃度の抗菌成分Ｋの放出が行われる。
【００７８】
また、図５（ｄ）に示すごとく、回動片４４が接触部４５に接触した後において、開閉蓋４３が所定時間開かれた状態となる構成としてもよい。例えば、開閉蓋４３の回動軸に開閉蓋４３を開き側に付勢する別のバネ機構を設けるなどにより、開閉蓋４３が閉じるまでの時間を遅らせる形態などが考えられる。
【００７９】
以上のように、図５（ａ）〜（ｄ）に示すごとく、本実施例３では、第二の抗菌装置４０は、扉（キャビネット５Ａ）に設けられ、扉（キャビネット５Ａ）が閉じられる際に、収納空間３Ａ内に設けられる接触部４５に接触して開かれる開閉蓋４３を有し、開閉蓋４３が開くことによって、溜め込まれた抗菌成分Ｋを放出し得る構成とするものである。
【００８０】
この構成によれば、開閉蓋４３を開閉するための電気的な仕組みが不要であり、簡易な装置構成を実現することが可能となる。なお、図５（ｂ）に示されるように、回動片４４を一側方向に回動させる構成とする代わりに、接触部４５を一側方向に回動させることで、キャビネットが閉じられる場合にのみ開閉蓋４３が開かれる構成としてもよい。
【００８１】
また、本実施例３では、図５（ａ）に示すごとく、収納空間３Ａ側に、実施例１で例示した「低濃度抗菌成分放出手段」としての機能を果たすための抗菌装置４６が設けられる構成としており、以上の構成によって、実施例１と同様の効果を発揮することが可能となる。
【実施例４】
【００８２】
本実施例４では、図６（ａ）〜（ｄ）に示すごとく、実施例１で例示した「高濃度抗菌成分放出手段」としての機能を果たすための、第二の抗菌装置５０を収納庫４Ｂ側に設置する構成とするものである。この第二の抗菌装置５０は、カートリッジ式容器５１を収納するホルダー５２を有し、このホルダー５２が収納空間３Ｂ内におけるキャビネット５Ｂの下方に設置され、キャビネット５Ｂが閉じられる際に、ホルダー５２に付設される開閉蓋５３が開かれて、抗菌成分Ｋを放出する構成とするものである。
【００８３】
図６（ａ）に示すごとく、開閉蓋５３はホルダー５２に対して回動可能に設けられ、図示せぬバネ機構などにより常時閉じる方向に付勢されている。また、開閉蓋５３には、接触部５４が上方に向けて突設されている。この接触部５４は、キャビネット５Ｂがスライド移動する際に、キャビネット５Ｂ側に固定された回動片５５に接触し得るようになっている。この回動片５５は、略垂直に垂れ下げられた状態から一側方向（図において時計回り方向Ｒ）にのみ回動が可能となるように、キャビネット５Ｂに垂設されている。
【００８４】
そして、図６（ｂ）に示すごとく、キャビネット５Ｂが開かれる方向にスライド移動する際には、回動片５５は接触部５４に接触し跳ね上げられる。この際、開閉蓋５３は閉じられたままとなり、抗菌成分Ｋの無駄な放出が抑えられる。一方、図６（ｃ）に示すごとく、キャビネット５Ｂが閉じられる方向にスライド移動する際には、回動片５５が接触部５４に接触することで、接触部５４が押し倒されると、これに伴って開閉蓋５３が一体となって回動し、開閉蓋５３が開かれた状態となって、高濃度の抗菌成分Ｋの放出が行われる。
【００８５】
また、図６（ｄ）に示すごとく、回動片５５が接触部５４に接触した後において、開閉蓋５３が所定時間開かれた状態となる構成としてもよい。例えば、開閉蓋５３の回動軸に開閉蓋５３を開き側に付勢する別のバネ機構を設けるなどにより、開閉蓋５３が閉じるまでの時間を遅らせる形態などが考えられる。
【００８６】
以上のように、図６（ａ）〜（ｄ）に示すごとく、本実施例４では、第二の抗菌装置５０は、収納空間３Ｂ内に設けられ、扉（キャビネット５Ｂ）が閉じられる際に、扉（キャビネット５Ｂ）に設けられる回動片５５に接触して開かれる開閉蓋５３を有し、開閉蓋５３が開くことによって、溜め込まれた抗菌成分Ｋを放出し得る構成とするものである。
【００８７】
この構成によれば、開閉蓋５３を開閉するための電気的な仕組みが不要であり、簡易な装置構成を実現することが可能となる。なお、図６（ｂ）に示されるように、回動片５５を一側方向に回動させる構成とする代わりに、接触部５４を一側方向に回動させることで、キャビネットが閉じられる場合にのみ開閉蓋５３が開かれる構成としてもよい。
【００８８】
また、本実施例４では、図６（ａ）に示すごとく、収納空間３Ｂ側に、実施例１で例示した「低濃度抗菌成分放出手段」としての機能を果たすための抗菌装置５６が設けられる構成としており、以上の構成によって、実施例１と同様の効果を発揮することが可能となる。
【実施例５】
【００８９】
本実施例５では、図７（ａ）〜（ｄ）に示すごとく、収納庫４Ｃの扉が引戸５Ｃを有する構成とするものについて、実施例１で例示した「高濃度抗菌成分放出手段」としての機能を果たすための、第二の抗菌装置６０を収納庫４Ｃの収納空間３Ｃ内に設置する構成とするものである。
【００９０】
図７（ａ）〜（ｄ）に示すごとく、第二の抗菌装置６０は、カートリッジ式容器６１を収納するホルダー６２を有し、このホルダー６２が、収納空間３Ｃ内における引戸５Ｃの裏側の位置に設置され、引戸５Ｃが閉じられる際に、ホルダー６２に付設される開閉蓋６３が開かれて、抗菌成分を放出する構成とするものである。
【００９１】
図７（ｂ）に示すごとく、開閉蓋６３はホルダー６２に対して回動可能に設けられ、図示せぬバネ機構などにより常時閉じる方向に付勢されている。また、開閉蓋６３には、接触片６４が前方に向けて突設されている。この接触片６４は、引戸５Ｃがスライド移動する際に、引戸５Ｃ側に固定された回動片６５に接触し得るようになっている。この回動片６５は、一側方向（図７（ｂ）において反時計回り方向Ｌ）にのみ回動が可能となるように、引戸５Ｃから収納空間３Ｃの中に向けて突設されている。
【００９２】
そして、図７（ｂ）に示すごとく、引戸５Ｃが開かれる方向にスライド移動する際には、回動片６５は接触片６４に接触し手前側に押し倒される。この際、開閉蓋６３は閉じられたままとなり、抗菌成分Ｋの無駄な放出が抑えられる。一方、図７（ｃ）に示すごとく、引戸５Ｃが閉じられる方向にスライド移動する際には、回動片６５が接触片６４に接触することで、接触片６４が押し倒されると、これに伴って開閉蓋６３が一体となって回動し、開閉蓋６３が開かれた状態となって、高濃度の抗菌成分Ｋの放出が行われる。
【００９３】
また、図７（ｄ）に示すごとく、回動片６５が接触片６４に接触した後において、開閉蓋６３が所定時間開かれた状態となる構成としてもよい。例えば、開閉蓋６３の回動軸に開閉蓋６３を開き側に付勢する別のバネ機構を設けるなどにより、開閉蓋６３が閉じるまでの時間を遅らせる形態などが考えられる。
【００９４】
また、本実施例５では、図７（ａ）〜（ｄ）に示すごとく、収納空間３Ｃ側に、実施例１で例示した「低濃度抗菌成分放出手段」としての機能を果たすための抗菌装置６６が設けられる構成としており、以上の構成によって、実施例１と同様の効果を発揮することが可能となる。
【００９５】
以上のように、引戸を扉として備える収納庫についても、本発明は適用することが可能である。また、以上の構成によれば、開閉蓋６３を開閉するための電気的な仕組みが不要であり、簡易な装置構成を実現することが可能となる。なお、図７（ｂ）に示されるように、回動片６５を一側方向に回動させる構成とする代わりに、接触部６４を一側方向に回動させることで、キャビネットが閉じられる場合にのみ開閉蓋６３が開かれる構成としてもよい。
【実施例６】
【００９６】
本実施例６は、図８（ａ）に示す形態とするものであり、収納庫４Ｄについて、引き出し可能なバスケット付扉７１が設けられ、このバスケット付扉７１に実施例１における第二の抗菌装置２０を設置することで、バスケット付扉７１が収納庫４Ｄの収納空間３Ｄ内に戻される際に、高濃度の抗菌成分Ｋが放出されることとするものである。また、収納庫４Ｄの収納空間３Ｄには、抗菌装置７２が設けられ、この抗菌装置７２によって、常時低濃度の抗菌成分Ｋの放出がなされる構成とするものである。
【００９７】
また、図８（ａ）に示す例は、ランドリー用収納庫として使用される形態であり、着用済の衣類Ｍがバスケット付扉７１内へと溜め込まれた場合において、抗菌装置７２と第二の抗菌装置２０によって、収納空間３Ｄにおけるカビ防止対策を図ることが可能となる。また、抗菌成分Ｋとして採用されるイソチオシアン酸エステルは、防臭効果も発揮することから、衣類から発生する不快な臭いの防臭対策も同時に図ることが可能となる。
【００９８】
また、同様に、図８（ｂ）（ｃ）に示す例は、ゴミ収納庫として使用される形態であり、バスケット付扉７１Ａについて、収納物の重量に応じて抗菌成分Ｋを放出するための第三の抗菌装置８０を備える構成としている。より具体的には、バスケット付扉７１Ａの上側開口を閉じる上蓋７４を設けるとともに、この上蓋７４によって閉じられる内部空間７５内に、内側容器７３Ａをさらに設けることとする。この内側容器７３Ａは、その下側がスプリング７６・７６にて支えられ、収納されるゴミなどの重量に応じて上下動し得るように構成されている。また、バスケット付扉７１Ａの床面７１ａには、第三の抗菌装置８０が設けられており、内側容器７３Ａの底面に設けた係合片７３ａが接触した際に、第三の抗菌装置８０から抗菌成分Ｋが放出され得るようになっている。また、内側容器７３Ａの壁面には、通気孔が開口されることで、第三の抗菌装置８０から放出された抗菌成分Ｋが、内側容器７３Ａ内へと流入し得るようになっている。
【００９９】
以上の構成により、図８（ｃ）において、収納されるゴミなどの量が多くなり、重量が増した際には、内側容器７３Ａが下方に沈み込むことで、第三の抗菌装置８０から抗菌成分Ｋが放出され、内部空間７５、及び、内側容器７３Ａ内に抗菌成分Ｋを充満させることが可能となって、抗菌成分Ｋの濃度を高めることが可能となる。
【０１００】
一方で、収納されるゴミなどの量が少ない場合には、内側容器７３Ａはスプリング７６・７６によって上方に移動され、係合片７３ａと第三の抗菌装置８０の接触がなされずに、第三の抗菌装置８０からの抗菌成分Ｋの放出は行われないものとなる。
【０１０１】
なお、家庭用ゴミ袋として広く使用されるものは、ポリエチレン素材とするものであり、イソチオシアン酸エステルはポリエチレンを透過することから、ゴミ袋８１内のゴミなどに対して、直接的に抗菌成分Ｋを到達させることが可能となって、抗菌成分Ｋの抗菌作用を効果的に利用することが可能となる。
【０１０２】
以上のように、図８（ｂ）（ｃ）の構成では、
収納庫４Ｄの扉（バスケット付扉７１Ａ）は、収納物を収納する内側容器７３Ａと、
内側容器７３Ａに収納される収納物の重量に応じて抗菌成分Ｋを放出する第三の抗菌装置８０と、
をさらに備える構成とするものである。
【０１０３】
この構成によれば、衣類やゴミなどの量が多くなって、より強力な防臭対策が必要とされる場合にのみ、第三の抗菌装置８０を機能させることが可能となり、防臭対策の必要性に応じて、第三の抗菌装置８０による効果的な防臭対策を実施することが可能となる。また、衣類やゴミなどの量が多い場合には、湿気も多くなるため、カビ防止対策としても、効果的に実施することが可能となる。
【０１０４】
なお、図８（ａ）〜（ｃ）においては、収納庫４Ｄの収納空間３Ｄの壁面に調湿材７７・７７が張設されることとしている。また、図８（ｃ）の形態において、第三の抗菌装置８０の設置箇所や、内側容器７３Ａを上下移動させる形態については、特に限定されるものではなく、例えば、第三の抗菌装置８０を内側容器７３Ａ側に設け、係合片７３ａをバスケット付扉７１Ａ側に設置することや、内側容器７３Ａを上側から吊るして設ける構成なども考えられる。
【産業上の利用可能性】
【０１０５】
本発明の抗菌装置は、キッチン収納庫、ランドリー用収納庫、ゴミ収納庫などの各種収納庫の内部のカビ防止対策や防臭対策として適用可能である。また、実施例で説明した適用箇所以外においても、扉によって閉じられる収納設備について幅広く適用可能であり、例えば、衣類用のクローゼット、書棚、押入れ、物置など、様々な収納設備についても適用することが可能である。
【符号の説明】
【０１０６】
１    キッチン設備
２    キッチンシンク
３    収納空間
４    収納庫
５    キャビネット
１０    抗菌装置
１１    カートリッジ式容器
１２    ホルダー
【図１】
0005571481.tif 000002
【図２】
0005571481.tif 000003
【図３】
0005571481.tif 000004
【図４】
0005571481.tif 000005
【図５】
0005571481.tif 000006
【図６】
0005571481.tif 000007
【図７】
0005571481.tif 000008
【図８】
0005571481.tif 000009